(57)【要約】【課題】  ケース本体の開口部の周囲に立設された透明フェンスにぐらつきを生じさせることのないオープンショーケースのフェンス支持装置を提供すること。【解決手段】  透明フェンス１３の上端部１３ａが、ケース本体２の開口部の周囲２ａに固定された第１支持具１６と第２支持具２０の上端部で挟持されるので、透明フェンス１３を常に安定した状態で立設させることができ、透明フェンス１３のぐらつきが未然に防止される。【選択図】  図４
2005287933.tif 000002
【特許請求の範囲】
【請求項１】
前面あるいは上面が開口した開口部を備える貯蔵室が形成されるケース本体内に、開口部の一方に設けた吹出口から他方に設けた吸込口に向けて吹き出される冷気のエアーカーテンにより前記貯蔵室を冷却するようにしたオープンショーケースであって、前記開口部の周囲には透明フェンスが立設され、該透明フェンスは、前記ケース本体の内外にそれぞれ固定されるとともに上端部でそれぞれが連結された第１支持具と第２支持具との間に設置され、前記透明フェンスは少なくとも前記第１支持具と第２支持具の上端部で挟持されて固定されていることを特徴とするオープンショーケースのフェンス支持装置。
【請求項２】
前記第１支持具と第２支持具とは、別部材で構成され、それぞれ上端部で屈曲可能に連結されている請求項１に記載のオープンショーケースのフェンス支持装置。
【請求項３】
前記透明フェンスの上端部には手摺レールが冠設され、前記透明フェンスは少なくとも前記第１支持具と第２支持具の上端部で前記手摺レールを介して挟持されて固定されている請求項１または２に記載のオープンショーケースのフェンス支持装置。
【請求項４】
前記透明フェンスの上端部ならびに前面を覆う第１支持具と、前記透明フェンスの背面を覆う第２支持具とからなり、第２支持具の上端部をオフセット加工して第１支持具の後端部と透明フェンスとの隙間に挿入するとともに、第１支持具の後端部に形成した下向き舌片を、第２支持具のオフセット加工による段部に形成された開口部に挿嵌させ、前記支持装置をケース本体に固定した請求項１乃至３のいずれかに記載のオープンショーケースのフェンス支持装置。
【請求項５】
前記第２支持具の開口部を上方が開放する凹溝とし、前記第１支持具の下向き舌片の付け根に、前記段部で掛着する掛着部を形成したものである請求項４に記載のオープンショーケースのフェンス支持装置。
【請求項６】
前記第１支持具の下向き舌片を下方に向けて幅広にしたものである請求項５に記載のオープンショーケースのフェンス支持装置。
【発明の詳細な説明】
【技術分野】
【０００１】
本発明は、デパートやスーパーマーケット等の食品売場で使用されるオープンショーケースのケース本体の外周上端部に透明フェンスを設けたオープンショーケースに関する。
【背景技術】
【０００２】
近年、商品を取り出し可能な開口部が形成されるオープンショーケースのケース本体の開口部の周囲には、フェンスが立設され外部からの熱が貯蔵室内に入り込まないようになっている。開口部の周囲の各コーナーにはコーナー支持部材が設けられ、フェンスの左右側端部が支持されて、フェンスがぐらつかない構成になっている。このようなフェンスは、透過性のあるガラスやプラスチック等を用いた透明フェンスで構成され、貯蔵室内に載置された商品を外部からでも見やすくなっている（例えば、特許文献１参照）。
【０００３】
【特許文献１】特開平１１−１５５７０５号公報（段落００１０、第１図）
【発明の開示】
【発明が解決しようとする課題】
【０００４】
しかしながら、特許文献１にあっては、横幅の長いケース本体の開口部の周囲に一枚板で構成された透明フェンスを立設させた場合では、透明フェンスの左右側端部のみがコーナー支持部材で支持されるだけなので、透明フェンスの中央部にぐらつきを生じさせる恐れがあった。また、複数枚の透明フェンスを連接させて開口部の周囲に立設させた場合では、特にコーナー支持部材で支持されていない透明フェンスにぐらつきを生じさせる恐れがあった。
【０００５】
本発明は、このような問題点に着目してなされたもので、ケース本体の開口部の周囲に立設された透明フェンスにぐらつきを生じさせることのないオープンショーケースのフェンス支持装置を提供することを目的とする。
【課題を解決するための手段】
【０００６】
上記課題を解決するために、本発明の請求項１に記載のオープンショーケースのフェンス支持装置は、前面あるいは上面が開口した開口部を備える貯蔵室が形成されるケース本体内に、開口部の一方に設けた吹出口から他方に設けた吸込口に向けて吹き出される冷気のエアーカーテンにより前記貯蔵室を冷却するようにしたオープンショーケースであって、前記開口部の周囲には透明フェンスが立設され、該透明フェンスは、前記ケース本体の内外にそれぞれ固定されるとともに上端部でそれぞれが連結された第１支持具と第２支持具との間に設置され、前記透明フェンスは少なくとも前記第１支持具と第２支持具の上端部で挟持されて固定されていることを特徴としている。
この特徴によれば、透明フェンスの上端部が、ケース本体に固定された第１支持具と第２支持具の上端部で挟持されるので、透明フェンスを常に安定した状態で立設させることができ、透明フェンスのぐらつきを未然に防止できる。
【０００７】
本発明の請求項２に記載のオープンショーケースのフェンス支持装置は、請求項１に記載のオープンショーケースのフェンス支持装置であって、前記第１支持具と第２支持具とは、別部材で構成され、それぞれ上端部で屈曲可能に連結されていることを特徴としている。
この特徴によれば、第１支持具または第２支持具のいずれか一方の支持具をケース本体に固定したのち、他方の支持具を屈曲させて透明フェンスの上端部を両支持具で挟持できるので、ケース本体への取付作業を容易に行うことができる。
【０００８】
本発明の請求項３に記載のオープンショーケースのフェンス支持装置は、請求項１または２に記載のオープンショーケースのフェンス支持装置であって、前記透明フェンスの上端部には手摺レールが冠設され、前記透明フェンスは少なくとも前記第１支持具と第２支持具の上端部で前記手摺レールを介して挟持されて固定されていることを特徴としている。
この特徴によれば、手摺レールを介して第１支持具と第２支持具の上端部で透明フェンスの上端部が挟持されるため、透明フェンスの上端部を傷めることがない。
【０００９】
本発明の請求項４に記載のオープンショーケースのフェンス支持装置は、請求項１乃至３のいずれかに記載のオープンショーケースのフェンス支持装置であって、前記透明フェンスの上端部ならびに前面を覆う第１支持具と、前記透明フェンスの背面を覆う第２支持具とからなり、第２支持具の上端部をオフセット加工して第１支持具の後端部と透明フェンスとの隙間に挿入するとともに、第１支持具の後端部に形成した下向き舌片を、第２支持具のオフセット加工による段部に形成された開口部に挿嵌させ、前記支持装置をケース本体に固定したことを特徴としている。
この特徴によれば、第２支持具の開口部に第１支持具の舌片が挿嵌されることで、第１支持具と第２支持具の左右の位置ずれを防止できる形状でありながら第２支持具の屈曲が可能となり、第２支持具の上端部の段部に第１支持具の後端部を重ねるようになっているため、第２支持具本体とを面一にでき安全性を高められる。
【００１０】
本発明の請求項５に記載のオープンショーケースのフェンス支持装置は、請求項４に記載のオープンショーケースのフェンス支持装置であって、前記第２支持具の開口部を上方が開放する凹溝とし、前記第１支持具の下向き舌片の付け根に、前記段部で掛着する掛着部を形成したものであることを特徴としている。
この特徴によれば、第１支持具の下向き舌片を第２支持具の開口部に容易に嵌め込むことができ、掛着部と段部の掛着位置を軸として、第２支持具を透明フェンス側に向けて揺動させ、この舌片で透明フェンスを押圧させることで、透明フェンスの上端部を堅固に挟持させることができる。
【００１１】
本発明の請求項６に記載のオープンショーケースのフェンス支持装置は、請求項５に記載のオープンショーケースのフェンス支持装置であって、前記第１支持具の下向き舌片を下方に向けて幅広にしたものであることを特徴としている。
この特徴によれば、第２支持具の開口部の左右の上端部が舌片の両端で係止されるので、取り付け時における第１支持具と第２支持具との係合が維持される。
【発明を実施するための最良の形態】
【００１２】
本発明の実施例を以下に説明する。
【実施例１】
【００１３】
図1は、本発明の実施例１におけるオープンショーケース（以下ショーケース１）の全体像を示す側面図であり、図２は、支持装置の分解組立斜視図であり、図３は、第１支持具に第２支持具を取り付ける過程を示す要部拡大断面図であり、図４は、図１のＡ−Ａ線を示す断面図であり、図５は、透明フェンスを支持装置で挟持する過程を示す要部拡大断面図である。このショーケース１は、デパートやスーパーマーケット等の食料品売場に設置されており、主に保冷を要する商品（本実施例では図示略）が載置されている。
【００１４】
本発明の実施例１を図面に基づいて説明すると、ショーケース１は、ケース本体２の上面に設けられた載置棚２ｂ上に棚板１２が多段（本実施例では三段式）に設けられ、前面に開口する貯蔵室８が形成され、載置棚２ｂ及び棚板１２に複数の商品を載置可能な構成になっている。以下、本実施例ではショーケース１の外周側を前方とし、ショーケース１の中央側を後方として説明する。
【００１５】
ケース本体２の開口部の周囲を構成する外周上端部２ａには、ガラスの切出しにより構成された透明フェンス１３を複数枚隣接させ立設させている。なお、本実施例では、前方後方の透明フェンス１３をそれぞれ３枚用い、左方右方の透明フェンス１３をそれぞれ２枚用いている。透明フェンス１３の上端には、手摺レール１４が冠設されている。このように、透明フェンス１３を用いることで、載置棚２ｂに載置される商品を透明フェンス１３の外部からでも見やすくなっている。
【００１６】
透明フェンス１３の連接間に位置する外周上端部２ａには、互いの透明フェンス１３の連接間を外部から遮蔽するように、後述において詳述する金属板で構成された支持装置１５が取り付けられ、外周上端部２ａの各コーナーには、金属板で構成された上面視略断面Ｌ字状のコーナー支持部材３が上方に延設するように設けられ、隣接する透明フェンス１３の側端部が支持されている。
【００１７】
透明フェンス１３の背面側に位置する外周上端部２ａには吸込口１１が形成され、ショーケース１の最上部には天板２ｃが設けられ、天板２ｃの下端に吹出口６が形成されており、ケース本体２内に収納される図示しない送風機によって吸込口１１から空気が吸い込まれ、図示しない蒸発器の熱交換によって空気が冷却されて、ケース本体２内に形成された図示しない通風路に沿って吹出口６から貯蔵室８内に冷気が送り込まれる。
【００１８】
この冷気は棚板１２や載置棚２ｂに載置された商品（図示略）を冷却するとともに、冷気の一部が再度吸込口１１から吸い込まれることで、吹出口６から吸込口１１にかけて、冷気層であるエアーカーテン１０を形成して外部からの熱を遮断している。さらに、透明フェンス１３によって、貯蔵室８内に流下した冷気を極力外部に漏出させないように防止させるとともに、冷気を吸込口１１方向に案内させるようになっている。
【００１９】
支持装置１５について詳細に説明すると、支持装置２は図２に示されるように、第１支持具１６と第２支持具２０とから構成されている。まず第１支持具１６には、金属板の折り曲げ加工により、支持具本体１６ａの上部が下向きコ字状に屈曲され後端部１７が形成されるとともに、下部が前方に屈曲されて支持片１９が形成されている。
【００２０】
後端部１７の左右は切り欠かれることで掛着部１７ｂが形成され、中央位置に舌片１７が下向きに形成されている。この舌片１７の付け根はオフセット加工により、支持具本体１６ａ側かつ下方に傾斜して折り曲げられている。支持片１９にはボルト２３を上下に貫通可能なボルト孔１９ａが形成されている。
【００２１】
第２支持具２０には、支持具本体２０ａの上端部２１の中央位置に凹溝を形成するように開口部２１ａが形成され、下部が金属板の折り曲げ加工によって、後方に屈曲されて支持片２２が形成されている。開口部２１ａ付け根はオフセット加工により、支持具本体１６ａ側かつ上方に傾斜して折り曲げられて段部２１ｂが形成され、支持片２２には上下にボルト２３を貫通可能なボルト孔２２ａが形成されている。
【００２２】
矢印に示されるように第１支持具１６に第２支持具２０を取り付けるには、図３に具体的に示されるように、第２支持具２０の開口部２１ａに第１支持具１６の舌片１７ａを差し込むように上端部２１を前方に斜め上方に挿し入れていく。そして、開口部２１ａに舌片１７ａを当接させたのち、第２支持具２０を上向きに起こして支持具本体２０ａを垂直に起立させ、上端部２１を上方に向けて挿し込んでいくことで、掛着部１７ｂに段部２１ｂを当接させて、第１支持具１６に第２支持具２０が取り付けられる構成になっている。
【００２３】
このようにして取り付けられた第２支持具２０は第１支持具１６に対して、掛着部１７ｂと段部２１ｂの掛着位置を軸として前後に屈曲可能、すなわち第１支持具１６、第２支持具２０が互いに揺動可能になっており、この揺動幅は後端部１７と上端部２１が当接する位置および、舌片１７ａと支持具本体２０ａが当接する位置で制限されている。
【００２４】
したがって、第２支持具２０の開口部２１ａに第１支持具１６の舌片１７ａが挿嵌されることで、第１支持具１６と第２支持具２０の左右の位置ずれを防止できる形状でありながら第２支持具２０の揺動が可能な構造となる。しかも、第２支持具２０の上端部２１の段部２１ｂに第１支持具１６の後端部１７を重なる構造になっているため、後端部１７と支持具本体２０ａを面一にでき安全性が高められている。
【００２５】
ケース本体２への支持装置１５の取り付けについて以下に説明する。図４に示されるように、外周上端部２ａの中央部には凹部（図示略）が形成され、凹部内に透明フェンス１３の下端部１３ｂが収納され立設されている。透明フェンス１３の上端部１３ａには、金属板を断面下向きコ字状に形成された手摺レール１４が嵌合され冠設され強度を高めており、手摺レール１４に手が掛けられたり、商品が当接した場合でも上端部１３ａが保護される。
【００２６】
支持装置１５をケース本体２に取り付けるには、まず第１支持具１６から第２支持具２０を若干後方に揺動させ、支持装置１５の下方が拡げられた状態で、透明フェンス１３の上方から下方に向けて挟み込むように押し下げていき、支持片１９を外周上端部２ａの上端に当接させる。そして、ボルト２３を用いてボルト孔１９ａを介して外周上端部２ａに形成されたボルト穴（図示略）に螺合させることで第１支持具１６をケース本体２に固定させる。
【００２７】
そして、後方に揺動された第２支持具２０を前方に揺動させながら移動させていくことにより、支持片２２を外周上端部２ａの上端に当接させる。そして、ボルト２３を用いてボルト孔２２ａを介して外周上端部２ａに形成されたボルト穴（図示略）に螺合させることにより、第２支持具２２をケース本体２に固定させることで、透明フェンスの上端部を挟持した状態で支持装置１５をケース本体２に取り付けることができる。したがって、透明フェンス１３の上端部１３ａが支持装置１５に支持され、下端部１３ｂが外周上端部２ａの凹部（図示略）に支持されるので、透明フェンス１３の上方への位置ずれが防止される。
【００２８】
このように、第１支持具１６と第２支持具２０とが別部材で構成され、第１支持具１６の上端部近傍に第２支持具を揺動可能に掛着させることで、第１支持具をケース本体２の外周上端部２ａに固定したのち、第２支持具２０を揺動させることにより、透明フェンス１３の上端部１３ａを両支持具１６、２０で挟持できるので、支持装置１５をケース本体２に取り付ける作業を容易に行うことができる。
【００２９】
上記した第２支持具２０を前方に揺動させ、透明フェンス１３の上端部１３ａを挟持させていく過程では、図５に具体的に示されるように、掛着部１７ｂと段部２１ｂの掛着位置を軸として、支持具本体２０ａが透明フェンス１３側に向けて揺動されていき、後端部１７に上端部２１が当接される。
【００３０】
さらに、支持具本体２０ａを透明フェンス１３側に揺動させていくと、舌片１７ａが押圧されていき、手摺レール１４の後部に徐々に圧力が加えられることで、透明フェンス１３の上端部１３ａが堅固に挟持される。しかも、透明フェンス１３の上端部１３ａが手摺レール１４を介して第１支持具１６と第２支持具２０の上端部で挟持されるため、透明フェンス１３の上端部１３ａを傷めることがない構造になっている。
【００３１】
以上の説明により実施例１では、透明フェンス１３の上端部１３ａが、ケース本体２の外周上端部２ａに固定された第１支持具１６と第２支持具２０の上端部で挟持されるので、透明フェンス１３を常に安定した状態で立設させることができ、透明フェンス１３のぐらつきが未然に防止される。
【００３２】
なお、複数の透明フェンス１３の連接間に支持装置１５が取り付けられることで、互いの隣接する透明フェンス１３の上端部１３ａのそれぞれが挟持されるので、複数の透明フェンス１３の連結手段としての機能も有する構成になっている（図１参照）。
【実施例２】
【００３３】
次に、本発明の実施例２を図６に基づいて説明する。図６は、支持装置の分解組立斜視図である。なお、以下の実施例２において前述の実施例１と同様の構造部分に関しては、同一の符号を付すことにより詳細な説明は省略することにする。
【００３４】
図６に示されるように、第１支持具１６’の後端部１７の左右は切り欠かれることで掛着部１７ｂが形成され、中央位置に下方に向けて幅広に形成された扇状の舌片２５が形成されており、舌片２５の付け根がオフセット加工によって支持具本体１６ａ側かつ下方に傾斜して折り曲げられている。
【００３５】
そこで、第２支持具２０の左右に形成された上端部２１を矢印に示されるように、舌片２５の付け根の左右に形成された掛着部１７ｂの下端に挿し入れて行き、第２支持具２０を上向きに起こして支持具本体２０ａを垂直に起立させるだけで、上端部２１の付け根のオフセット加工によって形成された段部２１ａに掛着部１７ｂを掛着させ、第１支持具１６’に第２支持具２０が取り付けられる構成になっている。
【００３６】
以上の説明により実施例２では、第１支持具１６’と第２支持具２０の取り付け時において、開口部２１ａの左右の上端部２１が舌片２５の両端で係止されることから、第１支持具１６’と第２支持具２０との係合が維持されることから、安易に第２支持具２０が取り外れることを防止でき、ケース本体２への取り付け作業の効率化を図れる。
【実施例３】
【００３７】
次に、本発明の実施例３を図７に基づいて説明する。図７は、支持装置の分解組立斜視図である。なお、以下の実施例３において前述の実施例１と同様の構造部分に関しては、同一の符号を付すことにより詳細な説明は省略することにする。
【００３８】
図７に示されるように、第２支持具２０’の上端部２１’は、オフセット加工によって前方かつ上方に傾斜して折り曲げられて段部２１ｂが形成され、この段部２１ｂには、第１支持具１６の後端部１７に形成された舌片１７ａを上下に挿通可能な開口部２６が形成されており、矢印に示されるように舌片１７ａを開口部２６に刺し込み、段部２１ｂに掛着部１７ｂを掛着させるだけで、第２支持具２０’に第１支持具１６を取り付ける構成になっている。
【００３９】
以上の説明により実施例３では、第１支持具１６と第２支持具２０’の取り付け時において、上端部２１’の開口部２６側が舌片１７ａのオフセット加工された付け根に係止され、第１支持具１６と第２支持具２０との係合が維持されることから、安易に第２支持具２０’が取り外れることを防止でき、ケース本体２への取り付け作業の効率化を図れる。
【００４０】
以上、本発明の実施例１〜３を図面により説明してきたが、具体的な構成はこれら実施例に限られるものではなく、本発明の要旨を逸脱しない範囲における変更や追加があっても本発明に含まれ、例えば上記実施例では、透明フェンス１３を複数枚で連接することで、横幅の長い一枚板の透明フェンスを外周上端部２ａに立設するよりも、取り付け作業を容易に行えることから好ましいが、本発明はこれに限定されるものではなく、横幅の長い一枚板で構成された透明フェンスを用いても良いことは言うまでもない。
【００４１】
また、上記実施例では、透明フェンス１３をガラスにより構成しているが、本発明はこれに限定されるものではなく、例えば硬質のプラスチックを用いた透明フェンスでも良いことは言うまでもなく、外部からの衝撃強度に強く透過性の高い他の材料を用いてフェンスを構成しても良い。
【００４２】
また、上記実施例では、透明フェンス１３の上端部に手摺レール１４を取り付けることで、透明フェンス１３の強度をより高められることから好ましいが、本発明はこれに限定されるものではなく、透明フェンス１３に手摺レール１４を取り付けない構成でも良い。
【図面の簡単な説明】
【００４３】
【図１】本発明の実施例１におけるオープンショーケースの全体像を示す斜視図である。
【図２】支持装置の分解組立斜視図である。
【図３】第１支持具に第２支持具を取り付ける過程を示す要部拡大断面図である。
【図４】図１のＡ−Ａ線を示す断面図である。
【図５】透明フェンスを支持装置で挟持する過程を示す要部拡大断面図である。
【図６】本発明の実施例２における支持装置の分解組立斜視図である。
【図７】本発明の実施例３における支持装置の分解組立斜視図である。
【符号の説明】
【００４４】
１                ショーケース（オープンショーケース）
２                ケース本体
２ａ              外周上端部
２ｂ              載置棚
２ｃ              天板
３                コーナー支持部材
６                吹出口
８                貯蔵室
１０              エアーカーテン（冷気層）
１１              吸込口
１２              棚板
１３              透明フェンス
１３ａ            上端部
１３ｂ            下端部
１４              手摺レール
１５              支持装置
１６、１６’      第１支持具（支持装置の一部）
１６ａ            支持具本体
１７              後端部
１７ａ            舌片
１７ｂ            掛着部
１９              支持片
１９ａ            ボルト孔
２０、２０’      第２支持具（支持装置の一部）
２０ａ            支持具本体
２１、２１’      上端部
２１ａ            開口部
２１ｂ            段部
２２              支持片
２２ａ            ボルト孔
２３              ボルト
２５              舌片（第２実施例）
２６              開口部（第３実施例）
【図１】
2005287933.tif 000003
【図２】
2005287933.tif 000004
【図３】
2005287933.tif 000005
【図４】
2005287933.tif 000006
【図５】
2005287933.tif 000007
【図６】
2005287933.tif 000008
【図７】
2005287933.tif 000009